【事件の表示】
　特願２００４−２８２４０７号「浴室暖房乾燥装置」拒絶査定不服審判事件〔平成１８年　４月１３日出願公開、特開２００６−　９７９３３号〕について、次のとおり審決する。
【結　論】
　本件審判の請求は、成り立たない。
【理　由】
第１　手続の経緯
　平成１６年　９月２８日　本件出願
　平成２０年１０月３０日　拒絶理由通知
　平成２１年　１月　５日　意見書、手続補正書
　平成２１年　１月２３日　最後の拒絶理由通知
　平成２１年　４月　６日　意見書、手続補正書　
　平成２１年　４月２７日　平成２１年４月６日付け手続補正の却下の決定
　平成２１年　４月２７日　拒絶査定
　平成２１年　８月１０日　本件審判請求、手続補正書
　平成２２年　９月　１日　審尋
　平成２２年１１月　１日　回答書
　平成２２年１２月　２日　審尋
　平成２３年　２月　７日　回答書　
　　
第２　平成２１年８月１０日付け手続補正についての補正却下の決定
　　
［補正却下の決定の結論］
　平成２１年８月１０日付け手続補正（以下「本件補正」という。）を却下する。
　　　　　　　　　　　
［理由］
１　補正の内容
　本件補正は、特許請求の範囲について補正をするとともに、明細書の全文を補正するものであって、補正前後の特許請求の範囲の請求項１について、補正箇所に下線を付して示すと以下のとおりである。
　　　　　　　　　　　　　
（１）補正前の請求項１（平成２１年１月５日付け手続補正書により補正されたもの）　
「【請求項１】
　吸い込み口から浴室内の空気を吸い込むと共にこの空気を加熱して吹き出し口から浴室内に温風を吹き出して浴室内を暖房する暖房機能と、吸い込み口から浴室内の空気を吸い込んで屋外に排気する換気機能と、吸い込み口から浴室内の空気を吸い込んで一部の空気を屋外に排気すると共に残りの空気を加熱して吹き出し口から温風を浴室内に吹き出すことで浴室を乾燥する加熱乾燥機能と、ミストノズルから浴室内に温水のミストを噴霧するミスト噴霧機能とを具備した浴室暖房乾燥装置であって、ミストノズルから温水のミストを噴霧する運転の終了後の一定時間内に操作器の乾燥スイッチの操作で浴室の乾燥を行うとき、先に吸い込み口から浴室内の空気を吸い込んで一部の空気を屋外に排気すると共に残りの空気を吹き出し口から浴室内に吹き出す涼風運転が所定時間行われてから、
若しくは先に吸い込み口から浴室内の空気を吸い込んで屋外に排気する換気運転が所定時間行われてから、若しくは先に吸い込み口から浴室内の空気を吸い込んで吹き出し口から吹き出すように循環送風する送風運転が所定時間行われてから、
　　　　　　　　　　
（２）補正後の請求項１
「【請求項１】
　吸い込み口から浴室内の空気を吸い込むと共にこの空気を加熱して吹き出し口から浴室内に温風を吹き出して浴室内を暖房する暖房機能と、吸い込み口から浴室内の空気を吸い込んで屋外に排気する換気機能と、吸い込み口から浴室内の空気を吸い込んで一部の空気を屋外に排気すると共に残りの空気を加熱して吹き出し口から温風を浴室内に吹き出すことで浴室を乾燥する加熱乾燥機能と、ミストノズルから浴室内に温水のミストを噴霧するミスト噴霧機能とを具備した浴室暖房乾燥装置であって、ミストノズルから温水のミストを噴霧する運転の終了後の一定時間内に操作器の乾燥スイッチの操作で浴室の乾燥を行うとき、先に吸い込み口から浴室内の空気を吸い込んで一部の空気を屋外に排気すると共に残りの空気を吹き出し口から浴室内に吹き出す涼風運転が所定時間行われてから
、
　　　　
２　補正の適否
　上記特許請求の範囲についての補正は、ミストノズルから温水のミストを噴霧する運転の終了後の一定時間内に操作器の乾燥スイッチの操作で浴室の乾燥を行うときの制御について、補正前は、「先に吸い込み口から浴室内の空気を吸い込んで一部の空気を屋外に排気すると共に残りの空気を吹き出し口から浴室内に吹き出す涼風運転が所定時間行われてから、若しくは先に吸い込み口から浴室内の空気を吸い込んで屋外に排気する換気運転が所定時間行われてから、若しくは先に吸い込み口から浴室内の空気を吸い込んで吹き出し口から吹き出すように循環送風する送風運転が所定時間行われてから、換気と温風の送風をする加熱乾燥運転が行われるように制御する」としていたものを、「先に吸い込み口から浴室内の空気を吸い込んで一部の空気を屋外に排気すると共に残りの空気を吹き出し口から浴室内に吹き出す涼風運転が所定時間行われてから、換気と温風の送風をする加熱乾燥運転が行われるように制御する」と限定するものである。
　そうすると、本件補正における特許請求の範囲についての補正は、平成１８年法律第５５号改正附則第３条第１項によりなお従前の例によるとされる同法による改正前の特許法（以下「改正前特許法」という。）第１７条の２第４項第２号の特許請求の範囲の減縮を目的とするものに該当する。
　そこで、本件補正後における請求項１に記載された事項により特定される発明（以下「本件補正発明」という。）が特許出願の際独立して特許を受けることができるものであるか（改正前特許法第１７条の２第５項において準用する同法第１２６条第５項の規定に適合するか）について以下検討する。
　　
（１）本件補正発明
　本件補正発明は、本件補正により補正された特許請求の範囲及び明細書並びに図面の記載からみて、前記１の（２）に示す特許請求の範囲の請求項１に記載された事項により特定されるとおりのものである。
　　　　
（２）引用刊行物
　これに対して、本件出願前に頒布された刊行物であり、原査定の拒絶の理由に引用された特開２００４−１５６８８９号公報（以下「刊行物１」という。）及び平成２２年１２月２日付け審尋で引用された特開平１１−４９９８号公報（以下「刊行物２」という。）には、それぞれ以下の事項が記載されている。
　なお、下線は当審で付した。
　　　
ア　刊行物１
（ア）段落【０００１】〜【０００９】　　　
「【０００１】
【発明の属する技術分野】
本発明は、浴室暖房乾燥装置、特に、ミストサウナモードを有する浴室暖房乾燥装置に関する。
【０００２】
【従来の技術】
近年、家庭の浴室でサウナ浴をするための装置として、特許文献１のようなミストサウナ装置が提案されている。このミストサウナ装置は、浴室内に設置されるものであり、給湯暖房機から供給される暖房用温水が通流する熱交換器と、この熱交換器の下方に設けられたファンと、熱交換器の上方に設けられて給湯暖房機からの給湯温水が供給される温水ノズルと、を具備する構成となっている。
【０００３】
このミストサウナ装置では、給湯暖房機から供給された暖房用温水により熱交換器が加熱されており、この熱交換器に対してその上方にある温水ノズルから給湯温水が供給されると、この温水が熱交換器の熱で蒸発してミストが発生する。このミストはファンにより浴室内に供給され、家庭の浴室で簡易にサウナ浴を得ることができる。
【０００４】
このようなミストサウナ装置を使用すると浴室内にミストが充満して浴室内の湿度が極めて高い状態になるが、ミスト浴の後は、浴室内の機器や浴室自体の維持管理上、浴室内の湿度を速やかに下げるのが望ましい。
【０００５】
このために、この従来のミストサウナ装置では、ミスト運転終了が指示されると、温水ノズルへの温水供給が停止してミスト発生がなくなり、この状態でファンが運転継続する。これにより、熱交換器の熱が浴室内に供給されて浴室内が暖房される。この暖房運転を行いながら、換気扇を作動して浴室内の乾燥を行なうことにより、浴室内が乾燥されるものとなる。
【０００６】
【特許文献１】
特開２０００−２３７２７３号公報
【０００７】
【発明が解決しようとする課題】
しかしながら、この
従来のミストサウナ装置では、ミスト運転終了後、入浴者等がリモコンを操作して上記暖房運転と換気扇作動の指示をして浴室の乾燥を行っており
【０００８】
また、この従来のミストサウナ装置では、浴室の湿度を検知し、その湿度が一定値以下に下がると乾燥運転を停止させる構成となっており、それ故に、比較的高価な湿度センサを必要とし、このミストサウナ装置の製造コストが高くなる。
【０００９】
本発明は、ミスト運転終了後に自動的に浴室の乾燥を行い、浴室及び浴室暖房乾燥装置自体を良好な状態に維持することができ、しかも、比較的高価な湿度センサを使用せずに運転制御できる浴室暖房乾燥装置を提供することを目的とする。」
　　
（イ）段落【００１０】〜【００１９】
「【００１０】
【課題を解決するための手段】
本発明の請求項１の浴室暖房乾燥装置は、浴室内の空気を加熱するための加熱手段と、浴室内の空気を換気するための換気ファンと、浴室内の温度を検知する温度検知手段と、浴室内にミストを発生するためのミスト発生手段と、前記加熱手段及び前記換気ファンを制御するための作動制御手段と、運転モードを設定する運転モード設定手段と、入浴終了を判定する入浴終了判定手段とを備える浴室暖房乾燥装置であって、
前記運転モード設定手段によりミストサウナモードが設定されると、前記ミスト発生手段が作動して浴室内にミストが発生するとともに、前記加熱手段が作動して浴室内が暖房され、前記ミストサウナモードの運転が終了して前記入浴終了判定手段が入浴終了と判定すると、浴室乾燥運転が遂行され、前記作動制御手段は前記温度検知手段の検知温度に基づいて前記換気ファン及び前記加熱手段を作動制御することを特徴とする。
【００１１】
本発明の請求項１の浴室暖房乾燥装置によれば、ミストサウナ運転終了後、作動制御手段は温度検知手段の検知温度に基づいて換気ファン及び加熱手段を作動制御するので、湿度検知手段を必要とせず、温度検知手段の温度検知のみを利用して自動的に換気ファン及び加熱手段を所要の通り作動制御する。従って、温度検知手段の検知温度に基づいて自動的に浴室の乾燥を行い、浴室及び浴室暖房乾燥装置自体を良好な状態に維持することができる。
【００１２】
本発明の請求項２の浴室暖房乾燥装置では、請求項１の浴室暖房乾燥装置において、前記浴室乾燥運転の運転時間は、入浴前の浴室温度に基づいて設定されることを特徴とする。
【００１３】
この請求項２の浴室暖房乾燥装置によれば、温度検知手段により、ミストサウナ使用前の初期室温が検知され、これにより周囲環境温度に応じた浴室乾燥運転時間が選択され、浴室内の環境温度に応じた浴室乾燥運転を自動的に行うことができる。例えば、冬場のように温度が低い時は乾燥し難く、従って乾燥運転時間が長く設定され、逆に夏場のように温度が高い時は乾燥し易く、従って乾燥運転時間が短く設定される。
【００１４】
本発明の請求項３の浴室暖房乾燥装置では、請求項１又は２の浴室暖房乾燥装置において、入浴終了判定後の浴室乾燥運転においては、浴室内の温度が換気温度以上である場合、前記換気ファンが作動して換気運転が行なわれ、その後、前記換気温度より低くなると前記換気ファン及び前記加熱手段が作動して乾燥運転が行なわれ、一方、浴室内の温度が前記換気温度より低い場合、前記換気ファン及び前記加熱手段が作動して乾燥運転が行なわれることを特徴とする。
【００１５】
この請求項３の浴室暖房乾燥装置によれば、
入浴終了判定がされると、浴室内の温度が換気温度以上である場合、前記換気ファンが作動して換気運転が行なわれ
温度が高い時は換気運転を行い、湿気を外部に排出し、その後、乾燥運転をするので、乾燥効率を高めて浴室を短時間で乾燥できる
【００１６】
本発明の請求項４の浴室暖房乾燥装置は、請求項１〜３のいずれかの浴室暖房乾燥装置において、前記
入浴終了判定手段は、ミストサウナモードの運転終了後所定時間経過するか、又はミストサウナモードの運転終了後浴室内の温度が入浴終了判定温度以下に低下すると、入浴終了と判定する
【００１７】
この請求項４の浴室暖房乾燥装置によれば、
ミストサウナ運転終了後、所定時間、例えば３０分程度経過すると浴室から退出することが多く、また、浴室内の温度が所定温度、例えば３２℃以下にまで下がることは入浴していないことが多く、このような条件から入浴終了を判定し、このように判定することによって、入浴終了をほぼ正確に判定することができる
【００１８】
本発明の請求項５の浴室暖房乾燥装置は、請求項１〜４のいずれかの浴室暖房乾燥装置において、ミストサウナモードの運転終了後の浴室内の温度がミスト換気温度以上であると、前記換気ファンが作動して換気運転が行なわれることを特徴とする。
【００１９】
この請求項５の浴室暖房乾燥装置によれば、ミストサウナ運転終了後の浴室内の温度がミスト換気温度、例えば４０℃以上であると、換気ファンが作動して換気運転が行なわれ、浴室内の不要な湯気を排出し、浴室ドア開閉時に脱衣室側へ湯気が流出するのを防ぐことができる。」　
　　
（ウ）段落【００２０】〜【００３０】
「【００２０】
【発明の実施の形態】
以下、添付図面を参照して、本発明に従う浴室暖房乾燥装置の一実施形態について説明する。図１は本発明に従う浴室暖房乾燥装置の一実施形態を簡略的に示す図であり、図２は図１の浴室暖房乾燥装置の制御系を簡略的に示すブロック図であり、図３は季節判定テーブルを示す図であり、図４は換気判定テーブルを示す図であり、図５は乾燥時間テーブルを示す図であり、図６はミストサウナモードの運転時における入浴終了判定までの制御の流れを示すフローチャートであり、図７は入力終了判定から乾燥運転終了までの制御の流れを示すフローチャートであり、図８は浴室乾燥運転中の乾燥運転においてミストサウナモードの運転を再開したときの制御の流れを示すフローチャートであり、図９は浴室乾燥運転中の換気運転においてミストサウナモードの運転を再開したときの制御の流れを示すフローチャートである。
【００２１】
図１において、図示の浴室暖房乾燥装置は直方体状の暖房乾燥機本体２を備え、この暖房乾燥機本体２は例えば浴室３の天井近くの壁面５に取り付けられる。暖房乾燥機本体２内には、循環流路４及び換気流路６が設けられている。この循環流路４内には加熱手段の一部を構成する熱交換器８と、浴室３内の空気と循環する循環ファン１０とが設けられている。熱交換器８は、複数本の中空パイプ１２を有し、加熱媒体としての温水が後述する如くして、これら中空パイプ１２を通して流れる。循環ファン１０は、循環流路４に配置された循環用羽根体１４と、この羽根体１４を回転駆動する循環モータ１６から構成され、循環モータ１６が作動する羽根体１４は所定方向に回転駆動される。
【００２２】
暖房乾燥機本体２の前面下部には吸込口２０が設けられ、この吸込口２０の上側には吹出し口２２が設けられ、循環流路４の上流側は吸込口２０に連通され、その下流側は吹出し口２２に連通されている。
循環用羽根体１４が所定方向に回転駆動されると、浴室内の空気が吸込口２０を通して吸い込まれ、循環流路４を通して流れた後、吹出し口２２から浴室３内に吹き出し、このようにして浴室３内の空気が循環流路４を通して循環される。循環流路４を流れる空気は、熱交換器８にて中空パイプ１２内を流れる温水との間で熱交換されて加熱され、加熱された空気が吹出し口２２から吹き出す
【００２３】
換気流路６は、吸込口２０近傍の循環流路４から分岐して設けられ、暖房乾燥機本体２の背面側に延びている。暖房乾燥機本体４の背面には排気口２３が設けられ、換気流路６の下流側が排出口２３に連通されている。この換気流路６には換気ファン３２が配置されている。換気ファン３２は、換気流路６に配置された換気用羽根体３４と、この羽根体３４を回転駆動する換気モータ３６から構成されている。この
換気モータ３６が作動すると、羽根体３４が所定方向に回転駆動され、浴室３内の空気は吸込口２０を通して吸い込まれ、換気流路６を通して流れて排気口２３から屋外に排出される
【００２４】
熱交換器８には、加熱媒体としての温水が熱源機４２（加熱手段の一部を構成する）から供給される。熱源機４２は例えばガス給湯暖房機、電気給湯暖房機などから構成され、給湯用温水を生成するための第１熱源手段４１と、浴室暖房乾燥用温水を生成するための第２熱源手段４３とを備えている。この形態では、第２熱源手段の供給側接続部４４が供給ライン４６を介して熱交換器８の流入側に接続され、また、その戻り側接続部４８が戻りライン５０を介して熱交換器８の流出側に接続され、供給ライン４６には、このライン４６を開閉するための熱動弁５２が配置されている。かく接続されているので、熱源機４２の第２熱源手段４３にて生成された温水、例えば８０℃程度の温水は、供給ライン４６を通して熱交換器８に供給され、その複数本の中空パイプ１２を通して流れ、その後戻りライン５０を通して第２熱源手段４３に戻る。尚、この実施形態では、加熱手段として第２熱源手段４３及び熱交換器８などを用いているが、このような構成に代えて、電気加熱ヒータなどを用いるようにしてもよい。
【００２５】
また、浴室３内の所定部位には浴槽５４が配設され、その洗い場近辺には混合水栓５６が設けられている。混合水栓５６の水用栓には水道ライン５８が接続されている。また、混合水栓５６の温水用栓は給湯ライン６０を介して第１熱源手段４１の温水送給側に接続され、第１熱源手段４１の水供給側が水道ライン６２に接続されている。従って、混合水栓５６の水用栓を開栓すると、水道ライン５８を通して水道水が供給される。また、その温水用栓を開栓すると、第１熱源手段４１が作動し、水道ライン６２からの水道水が第１熱源手段４１にて加熱され、加熱された温水、例えば５０℃程度の温水が給湯ライン６０を通して供給され、同時に水用栓を開栓することによって、所望温度の温水が出湯する。
【００２６】
浴室３の混合水栓５６の近傍、この形態ではその下方に、水蒸気を発生して浴室３内に噴出するミスト発生器６４（ミスト発生手段を構成する）が配設されている。ミスト発生器
６４は、その前面に装備された一対のミストノズル６６を備え、一対のミストノズル６６がノズルライン６８及びミスト用ライン７０を介して給湯ライン６０に接続されている。ミスト用ライン７０には、止水弁７２及びミスト電磁弁７４が配設されている。このように接続されているので、第１熱源手段４１にて加熱された温水は、給湯ライン６０、ミスト用ライン７０及びノズルライン６８を通してミストノズル６６に供給され、ミストノズル６６にて水蒸気が生成されて浴室３内に噴出する。尚、この実施形態では、給湯ライン６０からの温水の一部をミスト発生器６４に送給しているが、このような構成に代えて、ミスト発生器６４専用の熱源機を設け、この熱源機からの温水を直接的に送給するようにしてもよい。
【００２７】
この浴室暖房乾燥装置は、例えば、浴槽５４近傍に配置されるリモコン７６により作動制御される。図２をも参照して、図示のリモコン７６は、運転モードを設定するための運転モード設定手段７８を備え、この形態では、この
運転モード設定手段７８は、乾燥モードを設定するための乾燥スイッチ８０、暖房モードを設定するための暖房スイッチ８２、換気モードを設定するための換気スイッチ８４及びミストサウナモードを設定するためのミストサウナスイッチ８６から構成されている
【００２８】
浴室暖房乾燥装置は、更に、リモコン７６からの設定信号を受けて装置を作動制御するためのコントローラ９８と、浴室内の温度を検知する温度検知センサ１００（温度検知手段を構成する）を備えている。温度検知センサ１００は、例えば、暖房乾燥機本体２の吸込口２０の内側に配設され、浴室３の温度を検知し、この温度検知センサ１００からの検知信号がコントローラ９８に送信される。
【００２９】
図示の
コントローラ９８
【００３０】
この
コントローラ９８
　　　　
（エ）段落【００３５】〜【００４４】　
「【００３５】
次に、主として図１及び図２とともに図６〜図９を参照して、上述した浴室暖房乾燥装置におけるミストサウナモードの運転及びその運転終了後の浴室乾燥運転について説明する。
【００３６】
ミストサウナモードの運転を行うには、リモコン７６のミストサウナスイッチ８６を操作すればよい。かくすると、図６に示すように、浴室３の温度の測定が行われ（ステップＳ１）、温度検知センサ１００からの信号がコントローラ９８に送られ、この検知温度が第２メモリ１２０に記憶される。そして、この検知温度に基づいて季節の判定が行われる（ステップＳ２）。例えば、入浴前の浴室の温度が例えば１３℃以下（又は１４〜２５℃、２６℃以上）のときには、季節判定手段１０８は、図３の季節判定テーブルに基づいて「冬」（又は「春・秋」、「夏」）と判定し、この判定結果が第２メモリ１２０に記憶される。
【００３７】
このようにして季節の判定が行われた後に、浴室暖房乾燥装置のミストサウナ運転が開始される（ステップＳ３）。この
ミストサウナ運転においては、浴室暖房機本体２の暖房運転とミスト発生器６４の運転が同時に行われる
作動制御手段１０２は熱源機４２の第２熱源手段４３、熱動弁５２及び循環モータ３６を作動し、第２熱源手段４３からの温水が供給ライン４６、熱交換器８及び戻りライン５０を通して循環され、また浴室３内の空気が暖房乾燥機本体２の循環流路４を通して循環され、循環流路４を流れる空気が熱交換器８において温水との間で熱交換されて加熱され、加熱された空気が吹出し口２２から吹き出し、このようにして浴室３の暖房が行われる
作動制御手段１０２は熱源機４２の第１熱源手段４１及びミスト電磁弁７４を作動し、第１熱源手段４１からの温水が給湯ライン６０、ミスト用ライン７０及びノズルライン６８を通してミストノズル６６に送給され、かく送給された温水がミストノズルから水蒸気となって噴出する
【００３８】
このミストサウナ運転が開始すると、タイマ手段１１６が作動し、このタイマ手段１１６が所定の設定時間（リモコン７６により設定されたミストサウナモードの運転時間）を計時するまで、このミストサウナ運転が行われる。そして、タイマ手段１１６が所定設定時間を計時すると、ステップＳ５からステップＳ６に進み、タイマ手段１１６がリセットし、
サウナミスト運転が終了し（ステップＳ７）、熱源機４２（第１及び第２熱源手段４１，４３）、循環モータ１６、熱動弁５２及びミスト電磁弁７４が作動停止する
【００３９】
このようにミストサウナ運転が終了すると、使用者の入浴が終了したか否かの判定が行われる
【００４０】
ステップＳ１０又はステップＳ１３において浴室温度が４０℃未満に低下すると、ステップＳ１４に進み、ミストサウナ運転終了後３０分経過したか、即ちタイマ手段１１６が３０分計時したかが判断され、この３０分が経過しないうちはステップＳ１５に進み、浴室温度が３２℃より低くなったかが判断される。そして、ミストサウナ運転終了後３０分経過すると、ステップＳ１４からステップＳ１６に移り、またミストサウナ運転の終了後３０分経過してないときに浴室温度が３２℃未満に低下すると、ステップＳ１５からステップＳ１６に進む。ステップＳ１６においては、タイマ手段１１６がリセットされ、入浴終了判定手段１１０が使用者による入浴が終了したと判定し、このように判定することによって、比較的簡単に且つほぼ正確に入浴終了を判定することができる
【００４１】
ミストサウナ運転が終了し、入浴終了と判定されると、浴室を乾燥する浴室乾燥運転が自動的に行われる。図７に示すように、浴室温度が換気温度以上か否かが判定され、この判定は換気作動判定手段１１２により行われる
浴室温度が１８℃（又は２４℃、２８℃）以上のときには、ステップＳ１９に進んで浴室乾燥運転における換気運転が行われるが、その温度が１８℃（又は２４℃、２８℃）未満のときには、ステップＳ２４に移って浴室乾燥運転における乾燥運転が行われる
【００４２】
ステップＳ１９に進むと、作動制御手段１０２は換気モータ３６を作動し、換気ファン３２による換気運転が行われ、浴室３内の空気が換気流路６を通して屋外に排出され、このようにして湿気を屋外に排出することによって乾燥効率を高めることができる
【００４３】
このような換気運転により浴室３内の温度が上記換気温度まで低下すると、ステップＳ２１からステップＳ２２に進み、換気モータ３６の作動が停止し、上述した換気運転が終了し
ステップＳ２４に進む
【００４４】
ステップＳ１８又はステップＳ２３からステップＳ２４に進むと、浴室乾燥運転における乾燥運転が開始される。この乾燥運転においては、浴室暖房機本体２の暖房運転と換気運転が同時に行われる。即ち、作動制御手段１０２は循環モータ１６、熱動弁５２及び熱源機４２の第２熱源手段４３を作動して浴室３の暖房が行われるとともに、換気モータ３６を作動して浴室３内の空気の屋外への排出が行われ
　　　　
（オ）段落【００２２】、【００２７】及び【００３７】の記載からみて、浴室暖房乾燥装置が、吸込口２０から浴室内の空気を吸い込むと共にこの空気を加熱して吹出し口２２から浴室内に吹き出して浴室内を暖房する暖房機能、ミストノズル６６から浴室内に温水の水蒸気を噴出するミスト噴出機能を有している、ということができる。　
　　
（カ）段落【００２３】の記載からみて、浴室暖房乾燥装置が、吸込口２０から浴室内の空気を吸い込んで屋外に排気する換気機能を有している、ということができる。
　
（キ）段落【００２２】、【００２３】、【００４４】の記載からみて、浴室暖房乾燥装置が、吸込口２０から浴室内の空気を吸い込んで一部の空気を屋外に排気すると共に残りの空気を加熱して吹出し口２２から温風を浴室内に吹き出す浴室乾燥運転における乾燥機能を有している、ということができる。
　　
（ク）段落【００２９】、【００３０】、【００３７】〜【００４０】の記載からみて、コントローラ９８は、暖房機能及びミスト噴出機能によるミストサウナ運転の終了後、使用者の入浴が終了したか否かの判定を行う、ということができる。また、段落【００４１】〜【００４４】の記載からみて、コントローラ９８は、使用者の入浴が終了したと判定し、浴室温度が換気温度以上と判定すると、吸込口２０から浴室内の空気を吸い込んで屋外に排気する浴室乾燥運転における換気運転が、浴室温度が換気温度未満となるまで行われてから、換気と温風の送風をする浴室乾燥運転における乾燥運転が行われるように制御している、ということができる。　
　　　　
　上記（ア）ないし（エ）で摘示した事項並びに上記（オ）ないし（ク）で認定した事項をふまえると、刊行物１には、次の発明（以下「刊１発明」という。）が記載されているものと認められる。
　　
「吸込口２０から浴室内の空気を吸い込むと共にこの空気を加熱して吹出し口２２から浴室内に吹き出して浴室内を暖房する暖房機能と、吸込口２０から浴室内の空気を吸い込んで屋外に排気する換気機能と、吸込口２０から浴室内の空気を吸い込んで一部の空気を屋外に排気すると共に残りの空気を加熱して吹出し口２２から温風を浴室内に吹き出す浴室乾燥運転における乾燥機能と、ミストノズル６６から浴室内に温水の水蒸気を噴出するミスト噴出機能とを具備した浴室暖房乾燥装置であって、暖房機能とミスト噴出機能とによるミストサウナ運転の後、使用者の入浴が終了したか否かの判定を行い、使用者の入浴が終了したと判定すると、浴室温度が換気温度以上か否かの判定を行い、浴室温度が換気温度以上と判定したとき、先に吸込口２０から浴室内の空気を吸い込んで屋外に排気する浴室乾燥運転における換気運転が浴室温度が換気温度未満となるまで行われてから、換気と温風の送風をする浴室乾燥運転における乾燥運転が行われるように制御するコントローラを設けた浴室暖房乾燥装置。」
  　
イ　刊行物２
（ア）段落【０００１】〜【０００３】
「【０００１】
【発明の属する技術分野】本発明は、一般家庭の浴室で使用して、
入浴後の浴室内の水滴を乾燥させて、浴室内の空気の相対湿度を低減する機能を有する浴室乾燥機に関する
【０００２】
【従来の技術】図６は従来使用している浴室乾燥機の構成を示している。本体１は図示していない浴室の壁面又は天井に配置し、
内部には第１の送風機２・第２の送風機３・ヒータ４を有している。図示していないスイッチをオンして運転を開始すると、第２の送風機３とヒータ４が動作して、浴室内に温風が循環するものである
【０００３】
【発明が解決しようとする課題】前記
従来の構成の浴室乾燥機は、単に温風を適当な時間循環させるとともに室内の湿った空気を浴室外に排出するものであり、浴室外の空気が有している乾燥能力を活用していない
　　
（イ）段落【００１４】
「【００１４】請求項１０に記載した発明は、
制御手段が、運転を開始してから所定時間の間は空気循環手段と換気手段を運転し、その後、空気循環手段と空気加熱手段と換気手段を運転し、浴室内の乾燥を終了し
　　
（ウ）段落【００２４】〜【００２６】
「【００２４】
【実施例】以下、本発明の実施例について図１・図２に基づいて説明する。図１は、本実施例の構成を示す断面図である。また図２は、本実施例の浴室乾燥機を浴室に取り付けた状態を示す説明図である。図２に示しているように、本体５は浴室内の天井に取り付けている。
本体５内には、第１の送風機６
第２の送風機８
換気風路１１
循環風路１２
換気風路切り替えダンパ１４
空気加熱手段１６
制御手段１７を配置している
【００２５】
第１の送風機６と換気風路１１と換気風路切り替えダンパ１４は、図２に示しているように浴室内の空気を浴室外に換気する換気手段を形成している。換気時には、
換気風路１１から排出する換気空気は、直接屋外に排出するようになっている
第２の送風機８と循環風路１２は、浴室内の空気を本体５に循環する空気循環手段を形成している
【００２６】本実施例では、吸着剤７としてゼオライトやシリカゲルを使用している。除湿風路９・再生風路１０・換気風路１１・循環風路１２は、ダクトによって構成している。再生風路１０の吐出口１０ａと、換気風路１１の吐出口１１ａは屋外に開放されており、換気風路１１の流入口１１ｂには換気風路切換ダンパ１４を設けている。また再生風路１０の流入口１０ｂには再生風路切換ダンパ１５を設けている。
換気風路切り替えダンパ１４は、第１の送風機６が送風する浴室内の空気を、再生風路１０中に設けている吸着剤７側と、換気風路１１の吐出口１１ａ側とに切り替えている
第２の送風機８の吹き出し口には、空気加熱手段１６を配置している。空気加熱手段１６として本実施例ではＰＴＣヒータまたはニクロムヒータを使用しているが、これに限定する必要はない
　　
（エ）段落【００２８】
「【００２８】以下本実施例の動作について説明する。
図示していないスイッチをオンすると、制御手段１７は動作を開始し、制御手段１７が有している制御プログラムに従って各部を制御する
　　
（オ）段落【００３６】
「【００３６】またこのとき、
制御手段１７が、浴室内が多湿の間は空気循環手段と換気手段を運転し、浴室内が低湿となってからは空気循環手段と空気加熱手段と換気手段とを運転するように制御しても、省エネルギーで浴室を乾燥できる浴室乾燥機を実現できる
浴室内がある程度低湿状態となってから、空気加熱手段１６を通電するようにしているため、空気加熱手段１６による電力消費が節電されることになる
　　
（カ）段落【００５１】
「【００５１】図４は、前記浴室湿度検知手段が検知する浴室内の湿度の変化の様子を示している。領域Ａは、本実施例の浴室乾燥機を連続運転している状態での相対湿度の変化の様子を示している。また領域Ｂは、同様に、連続運転を終了した後の断続運転時での相対湿度の変化の様子を示している。領域Ｃに示しているように、浴室内が多湿のとき、循環手段と換気手段とを運転して、浴室外の比較的低湿の空気を取り込んで浴室内全体に循環させるものである。この結果、浴室内の相対湿度は低下するが、この相対湿度は浴室外の換気空気の相対湿度が例えば７０％程度であれば浴室内の相対湿度も７０％程度が限度となる。相対湿度が限度に近づくと、浴室湿度検知手段が検知する湿度の変化量も小さくなるものである。そこで、この変化量が基準値より小さくなった時点で、循環手段と換気手段による乾燥運転から、循環手段と除湿手段もしくは循環手段と空気加熱手段１６と換気手段による乾燥運転に運転モードを変更するものである。この結果領域Ｄに示しているように、浴室内の相対湿度は４０％程度まで低下するものである。またこの後は、領域Ｂに示している断続運転を実行するものである。」
　　
（キ）段落【００５３】〜【００５５】
「【００５３】また、浴室内に、図示していない浴室内の温湿度を検知する浴室温湿度検知手段と、浴室に流入する換気空気の温湿度を検知する図示していない換気温湿度検知手段とを配置し、制御手段１７が、浴室温湿度検知手段と換気温湿度検知手段からの温湿度情報を基いて浴室内の絶対湿度が所定の値以下になった時点で、空気循環手段と換気手段による乾燥運転モードから空気循環手段と空気除湿手段による除湿運転モードに切り替えるようにすることもできる。
【００５４】図５は、本実施例の空気除湿手段と換気手段による除湿量の特性を示している。すなわち、絶対湿度が１５の空気によって浴室内を換気した場合に、浴室内から換気によって追い出した湿気の量を除湿量としたものと、除湿手段による除湿量とを浴室内の絶対湿度を共通の横軸としてグラフにしたものである。グラフ１は、換気手段による除湿量を、グラフ２は除湿手段による除湿量を示している。この特性より理解できるように、浴室内の絶対湿度が、グラフ１とグラフ２の交点Ｘよりも多湿の場合には換気手段の運転による除湿の方が有利であり、交点Ｘよりも低湿の場合には除湿手段の運転による除湿の方が有利である。つまり、所定の絶対湿度での除湿手段の除湿量をあらかじめ把握しておけば、浴室内の絶対湿度と換気の絶対湿度をモニタすることによって、換気手段の運転による除湿よりも、除湿手段の運転による除湿の方が有利である絶対湿度がわかるものである。
【００５５】従って本実施例では、浴室内の温湿度を検知する浴室温湿度検知手段と、浴室に流入する換気空気の温湿度を検知する換気温湿度検知手段とを使用して、制御手段１７が、それぞれの温度と湿度とから絶対湿度を把握するようにしているものである。また、浴室内の絶対湿度が所定の値以下になった時点で、空気循環手段と換気手段による乾燥運転モードから空気循環手段と空気除湿手段による除湿運転モードに切り替えるようにしているものである。」　
　　
（ク）上記（ア）（段落【０００２】）の従来の技術背景、上記（エ）及び（オ）から、浴室乾燥機のスイッチをオンすることで、浴室の乾燥を開始している、ということができる。
　　
　上記（ア）ないし（キ）に摘示した事項並びに上記（ク）で認定した事項をふまえると、刊行物２には、以下の事項が記載されているものと認められる。
　　
「浴室乾燥機のスイッチをオンすることで浴室の乾燥を開始し、このときの浴室内が多湿のときには、空気循環手段と空気加熱手段と換気手段との運転に先立って、まず、空気循環手段と換気手段とを運転すること。」（以下「刊２事項の１」という。）
　　
「空気循環手段と空気加熱手段と換気手段との運転に先だって行われる空気循環手段と換気手段との運転を、所定時間だけ行うこと。」（以下「刊２事項の２」という。）
　　　
（３）対比
　本件補正発明と刊１発明とを対比する。
　刊１発明の「吸込口２０」は、本件補正発明の「吸い込み口」に相当する。　以下同様に、
　「吹出し口２２」は、「吹き出し口」に、
　「吸込口２０から浴室内の空気を吸い込んで一部の空気を屋外に排気すると共に残りの空気を加熱して吹出し口２２から温風を浴室内に吹き出す浴室乾燥運転における乾燥機能」は、「吸い込み口から浴室内の空気を吸い込んで一部の空気を屋外に排気すると共に残りの空気を加熱して吹き出し口から温風を浴室内に吹き出すことで浴室を乾燥する加熱乾燥機能」に、
　「ミストノズル６６から浴室内に温水の水蒸気を噴出するミスト噴出機能」は、「ミストノズルから浴室内に温水のミストを噴霧するミスト噴霧機能」に、
　「暖房機能とミスト噴出機能とによるミストサウナ運転」は、ミストノズルから温水のミストを噴霧しているから、「ミストノズルから温水のミストを噴霧する運転」に、
　「暖房機能とミスト噴出機能とによるミストサウナ運転の終了後」は、「ミストノズルから温水のミストを噴霧する運転の終了後」に、
　「換気と温風の送風をする浴室乾燥運転における乾燥運転」は、「換気と温風の送風をする加熱乾燥運転」に、
　「コントローラ」は、「制御部」に、
それぞれ相当する。
　
　したがって、両者の一致点及び相違点は、次のとおりと認められる。
　　　　　　　　
＜一致点＞
「吸い込み口から浴室内の空気を吸い込むと共にこの空気を加熱して吹き出し口から浴室内に温風を吹き出して浴室内を暖房する暖房機能と、吸い込み口から浴室内の空気を吸い込んで屋外に排気する換気機能と、吸い込み口から浴室内の空気を吸い込んで一部の空気を屋外に排気すると共に残りの空気を加熱して吹き出し口から温風を浴室内に吹き出すことで浴室を乾燥する加熱乾燥機能と、ミストノズルから浴室内に温水のミストを噴霧するミスト噴霧機能とを具備した浴室暖房乾燥装置であって、ミストノズルから温水のミストを噴霧する運転の終了後、換気と温風の送風をする加熱乾燥運転が行われるように制御する制御部を設けた浴室暖房乾燥装置。」の点。
　　　　
＜相違点＞
　本件補正発明では、「ミストノズルから温水のミストを噴霧する運転の終了後の一定時間内に操作器の乾燥スイッチの操作で浴室の乾燥を行うとき、先に吸い込み口から浴室内の空気を吸い込んで一部の空気を屋外に排気すると共に残りの空気を吹き出し口から浴室内に吹き出す涼風運転が所定時間行われ」るのに対し、
　刊１発明では、ミストノズルから温水のミストを噴霧する運転の終了後、「使用者の入浴が終了したか否かの判定を行い、使用者の入浴が終了したと判定すると、浴室温度が換気温度以上か否かの判定を行い、浴室温度が換気温度以上と判定したとき、先に吸込口２０から浴室内の空気を吸い込んで屋外に排気する浴室乾燥運転における換気運転が浴室温度が換気温度未満となるまで行なわれ」る点。
　　
（４）当審の判断
ア　相違点について
（ア）刊行物２には、前記（２）イに示したとおりの刊２事項の１（「浴室乾燥機のスイッチをオンすることで浴室の乾燥を開始し、このときの浴室内が多湿のときには、空気循環手段と空気加熱手段と換気手段との運転に先立って、まず、空気循環手段と換気手段とを運転すること。」）が記載されている。
　そして、刊２事項の１の「浴室乾燥機のスイッチをオンすることで浴室の乾燥を開始し」は、本件補正発明の「操作器の乾燥スイッチの操作で浴室の乾燥を行うとき」に相当する。
　以下同様に、
　「空気循環手段と空気加熱手段と換気手段との運転」は、「換気と温風の送風をする加熱乾燥運転」に、
　「空気循環手段と換気手段とを運転すること」は、「吸い込み口から浴室内の空気を吸い込んで一部の空気を屋外に排気すると共に残りの空気を吹き出し口から浴室内に吹き出す涼風運転を行」うことに、
それぞれ相当する。
　そうすると、刊２事項の１は、「操作器の乾燥スイッチの操作で浴室の乾燥を行うとき、このときの浴室内が多湿のときには、換気と温風の送風をする加熱乾燥運転に先立って、まず、吸い込み口から浴室内の空気を吸い込んで一部の空気を屋外に排気すると共に残りの空気を吹き出し口から浴室内に吹き出す涼風運転を行うこと。」と言い換えることができる。
　
（イ）また、刊行物２には、前記（２）イに示したとおりの刊２事項の２（「空気循環手段と空気加熱手段と換気手段との運転に先だって行われる空気循環手段と換気手段との運転を、所定時間だけ行うこと。」）が記載されている。
　そして、刊２事項の２の「空気循環手段と空気加熱手段と換気手段との運転」、及び「空気循環手段と換気手段との運転」は、それぞれ、本件補正発明の「換気と温風の送風をする加熱乾燥運転」、及び「吸い込み口から浴室内の空気を吸い込んで一部の空気を屋外に排気すると共に残りの空気を吹き出し口から浴室内に吹き出す涼風運転」に相当する。
　そうすると、刊２事項の２は、「換気と温風の送風をする加熱乾燥運転に先だって行われる、吸い込み口から浴室内の空気を吸い込んで一部の空気を屋外に排気すると共に残りの空気を吹き出し口から浴室内に吹き出す涼風運転を、所定時間だけ行うこと。」と言い換えることができる。
　　　　
（ウ）ここで、刊１発明は、「ミストサウナ運転の後、使用者の入浴が終了したか否かの判定を行い、使用者の入浴が終了したと判定すると、浴室温度が換気温度以上か否かの判定を行」うものであって、入浴の終了の判定及びその後の動作への切り換えを自動で行っているのに対し、刊２事項の１は、「操作器の乾燥スイッチの操作で浴室の乾燥を行うとき、このときの浴室内が多湿このときの浴室内が多湿のときには、加熱乾燥運転に先立って、まず、涼風運転を行う」のであるから、入浴の終了の判定及びその後の動作への切り換えを手動で行っているということができる。
　そして、刊行物１には、従来、ミスト運転終了後、入浴者等がリモコンを操作して浴室の乾燥を行っていたこと（段落【０００７】）が記載されているところ、運転の切り換えを自動でも手動でも行えるように選択可能とすることは、例えばエアコン等に見られるように、使用者の操作性の嗜好に対応してごく普通に行われていることにすぎない。
　その上、刊１発明において、「浴室温度が換気温度以上と判定したとき、先に吸込口２０から浴室内の空気を吸い込んで屋外に排気する浴室乾燥運転における換気運転が行われ」るのは、湿気を屋外に排出するため（段落【００１５】、【００４２】）であって、刊１発明は、浴室の温度を指標として浴室内が多湿であるか否かを判断しているということができるから、刊１発明と刊２事項の１とは、加熱乾燥運転に先だって、浴室が多湿であるか否かの判断を行い、多湿である場合にはヒータを用いずに浴室内を低湿にするという機能が共通する。そして、ヒータを用いずに浴室内を低湿にするのに、刊１発明のような「吸込口２０から浴室内の空気を吸い込んで屋外に排気する浴室乾燥運転における換気運転」を行うのか、刊２事項の１のような「吸い込み口から浴室内の空気を吸い込んで一部の空気を屋外に排気すると共に残りの空気を吹き出し口から浴室内に吹き出す涼風運転」を行うのかは、単なる選択的事項にすぎない。
　また、刊１発明と刊２事項の２とは、加熱乾燥運転に先だって行われる、ヒータを用いない運転の終了の条件を規定している点で共通しているところ、刊行物１には、コントローラ９８がタイマ手段１１６を有することが記載されている（前記（２）ア（ウ）の段落【００３０】）。
　してみると、刊１発明の「使用者の入浴が終了したか否かの判定を行い、使用者の入浴が終了したと判定すると、浴室温度が換気温度以上か否かの判定を行い、浴室温度が換気温度以上と判定したとき、先に吸込口２０から浴室内の空気を吸い込んで屋外に排気する浴室乾燥運転における換気運転が浴室温度が換気温度未満となるまで行なわれ」るのに加えて、あるいは代えて、刊２事項の１及び刊２事項の２をふまえ、ミストノズルから温水のミストを噴霧する運転の終了後、操作器の乾燥スイッチの操作を行い、このときの浴室内が多湿のときには、加熱乾燥運転に先立って、まず、吸い込み口から浴室内の空気を吸い込んで一部の空気を屋外に排気すると共に残りの空気を吹き出し口から浴室内に吹き出す涼風運転が所定時間だけ行われるようにすることは、当業者が容易になし得たことである。
　　
（エ）ところで、浴室内が多湿であるかどうかの指標として、刊１発明では浴室の温度が用いられ、刊行物２（段落【００５１】、【００５３】〜【００５５】）では湿度が示されているところ、入浴後の経過時間も、浴室内が多湿であるかどうかの指標とできることは技術常識である（例えば、特開２００２−２１３７６０号公報の段落【０００９】、【００３０】参照。）。
　かかる技術常識をふまえると、ミストノズルから温水のミストを噴霧する運転の終了後、操作器の乾燥スイッチの操作をすることで浴室の乾燥を開始し、このときの浴室内が多湿のときには、加熱乾燥運転に先立って、まず、涼風運転を所定時間だけ行うようにするに際し、浴室内が多湿であるかどうかを、操作器の乾燥スイッチの操作をすることで浴室の乾燥を開始したときの、ミストノズルから温水のミストを噴霧する運転の終了後の経過時間により判断するようにすること、すなわち、ミストノズルから温水のミストを噴霧する運転の終了後の一定時間内に操作器の乾燥スイッチの操作で浴室の乾燥を行うとき、涼風運転を所定時間だけ行うようにすることは、当業者が適宜なし得たことである。
　　
（オ）以上のとおりであるから、刊１発明において、相違点に係る本件補正発明が具備する構成とすることは、当業者が容易になし得たことである。
　　
イ　本件補正発明の作用効果について
　本件補正発明の作用効果についてみても、刊１発明、刊２事項の１、刊２発明の２及び技術常識から当業者が予測できる範囲内のものであって、顕著なものとはいえない。　　
　　
ウ　小括
　したがって、本件補正発明は、刊１発明、刊２事項の１、刊２発明の２及び技術常識から当業者が容易に発明をすることができたものであるから、特許法第２９条第２項の規定により特許出願の際独立して特許を受けることができないものである。　　　
　　　
３　むすび
　したがって、本件補正は、改正前特許法第１７条の２第５項において準用する同法第１２６条第５項の規定に違反するので、同法第１５９条第１項において読み替えて準用する同法第５３条第１項の規定により却下すべきものである。
　　　　
第３　本願発明について
１　本願発明
　本件補正は、上記のとおり却下されたので、本件出願の請求項１ないし２に係る発明は、平成２１年１月５日付け手続補正書により補正された特許請求の範囲及び明細書並びに図面の記載からみて、その特許請求の範囲の請求項１ないし２に記載されたとおりのものであると認められるところ、請求項２に係る発明（以下「本願発明」という。）は次のとおりである。
　　　　
「【請求項２】
　吸い込み口から浴室内の空気を吸い込むと共にこの空気を加熱して吹き出し口から浴室内に温風を吹き出して浴室内を暖房する暖房機能と、吸い込み口から浴室内の空気を吸い込んで屋外に排気する換気機能と、吸い込み口から浴室内の空気を吸い込んで一部の空気を屋外に排気すると共に残りの空気を加熱して吹き出し口から温風を浴室内に吹き出すことで浴室を乾燥する加熱乾燥機能と、ミストノズルから浴室内に温水のミストを噴霧するミスト噴霧機能とを具備した浴室暖房乾燥装置であって、ミストノズルから温水のミストを噴霧する運転の終了後に自動的に浴室の乾燥を行う自動浴室乾燥運転の設定と解除機能を有し、自動浴室乾燥運転の設定をしたとき、ミストを噴霧する運転の終了後に送風も換気も行うことなく所定時間放置した後、換気と温風の送風をする加熱乾燥運転が行なわれるように制御する制御部を具備したことを特徴とする浴室暖房乾燥装置。」
　　
２　引用刊行物
（１）これに対して、原査定の拒絶の理由に引用された刊行物１（特開２００４−１５６８８９号公報）には、前記第２の２（２）アの（ア）ないし（エ）で摘示した事項並びに前記第２の２（２）アの（オ）ないし（ク）で認定した事項が記載されている。
　　
（２）また、刊行物１には、以下の記載がある（段落【００１０】〜【００１９】、段落【００３８】〜【００４０】）。
「【００１０】
【課題を解決するための手段】
本発明の請求項１の浴室暖房乾燥装置は、浴室内の空気を加熱するための加熱手段と、浴室内の空気を換気するための換気ファンと、浴室内の温度を検知する温度検知手段と、浴室内にミストを発生するためのミスト発生手段と、前記加熱手段及び前記換気ファンを制御するための作動制御手段と、運転モードを設定する運転モード設定手段と、入浴終了を判定する入浴終了判定手段とを備える浴室暖房乾燥装置であって、
前記運転モード設定手段によりミストサウナモードが設定されると、前記ミスト発生手段が作動して浴室内にミストが発生するとともに、前記加熱手段が作動して浴室内が暖房され、前記
ミストサウナモードの運転が終了して前記入浴終了判定手段が入浴終了と判定すると、浴室乾燥運転が遂行され、前記作動制御手段は前記温度検知手段の検知温度に基づいて前記換気ファン及び前記加熱手段を作動制御する
【００１１】
本発明の請求項１の浴室暖房乾燥装置によれば、ミストサウナ運転終了後、作動制御手段は温度検知手段の検知温度に基づいて換気ファン及び加熱手段を作動制御するので、湿度検知手段を必要とせず、温度検知手段の温度検知のみを利用して自動的に換気ファン及び加熱手段を所要の通り作動制御する。従って、温度検知手段の検知温度に基づいて自動的に浴室の乾燥を行い、浴室及び浴室暖房乾燥装置自体を良好な状態に維持することができる。
【００１２】（略）
【００１３】（略）
【００１４】
本発明の請求項３の浴室暖房乾燥装置では、請求項１又は２
の浴室暖房乾燥装置において、入浴終了判定後の浴室乾燥運転においては、浴室内の温度が換気温度以上である場合、前記換気ファンが作動して換気運転が行なわれ、その後、前記換気温度より低くなると前記換気ファン及び前記加熱手段が作動して乾燥運転が行なわれ、一方、浴室内の温度が前記換気温度より低い場合、前記換気ファン及び前記加熱手段が作動して乾燥運転が行なわれる
【００１５】
この請求項３の浴室暖房乾燥装置によれば、
入浴終了判定がされると、浴室内の温度が換気温度以上である場合、前記換気ファンが作動して換気運転が行なわれ
温度が高い時は換気運転を行い、湿気を外部に排出し、その後、乾燥運転をするので、乾燥効率を高めて浴室を短時間で乾燥できる
【００１６】
本発明の請求項４の浴室暖房乾燥装置は、請求項１〜３のいずれかの浴室暖房乾燥装置において、前記
入浴終了判定手段は、ミストサウナモードの運転終了後所定時間経過するか、又はミストサウナモードの運転終了後浴室内の温度が入浴終了判定温度以下に低下すると、入浴終了と判定する
【００１７】
この請求項４の浴室暖房乾燥装置によれば、
ミストサウナ運転終了後、所定時間、例えば３０分程度経過すると浴室から退出することが多く、また、浴室内の温度が所定温度、例えば３２℃以下にまで下がることは入浴していないことが多く、このような条件から入浴終了を判定し、このように判定することによって、入浴終了をほぼ正確に判定することができる
【００１８】
本発明の請求項５の浴室暖房乾燥装置は、
請求項１〜４のいずれかの浴室暖房乾燥装置において、ミストサウナモードの運転終了後の浴室内の温度がミスト換気温度以上であると、前記換気ファンが作動して換気運転が行なわれる
【００１９】
この
請求項５の浴室暖房乾燥装置によれば
浴室内の不要な湯気を排出し、浴室ドア開閉時に脱衣室側へ湯気が流出するのを防ぐことができる
　　
「【００３８】
このミストサウナ運転が開始すると、タイマ手段１１６が作動し、このタイマ手段１１６が所定の設定時間（リモコン７６により設定されたミストサウナモードの運転時間）を計時するまで、このミストサウナ運転が行われる。そして、タイマ手段１１６が所定設定時間を計時すると、ステップＳ５からステップＳ６に進み、タイマ手段１１６がリセットし、
サウナミスト運転が終了し（ステップＳ７）、熱源機４２（第１及び第２熱源手段４１，４３）、循環モータ１６、熱動弁５２及びミスト電磁弁７４が作動停止する
【００３９】
このようにミストサウナ運転が終了すると、使用者の入浴が終了したか否かの判定が行われる
タイマ手段１１６が再作動し（ステップＳ８）、また温度検知センサ１００により浴室温度の測定が行われる（ステップＳ９）。そして、浴室温度がミスト換気温度（例えば４０℃）以上のときには、ステップＳ１０からステップＳ１１に進み、作動制御手段１０２は換気モータ３６を作動し、浴室３内の空気（水蒸気を含んでいる）が換気流路６を通して屋外に排出され、このように換気ファン３２を作動させることによって、浴室３内の不要な湯気を外部に排出することができる。
【００４０】
ステップＳ１０又はステップＳ１３において浴室温度が４０℃未満に低下すると、ステップＳ１４に進み、ミストサウナ運転終了後３０分経過したか、即ちタイマ手段１１６が３０分計時したかが判断され、この３０分が経過しないうちはステップＳ１５に進み、浴室温度が３２℃より低くなったかが判断される。そして、ミストサウナ運転終了後３０分経過すると、ステップＳ１４からステップＳ１６に移り、またミストサウナ運転の終了後３０分経過してないときに浴室温度が３２℃未満に低下すると、ステップＳ１５からステップＳ１６に進む。ステップＳ１６においては、タイマ手段１１６がリセットされ、入浴終了判定手段１１０が使用者による入浴が終了したと判定し、このように判定することによって、比較的簡単に且つほぼ正確に入浴終了を判定することができる
　　　
　上記記載では、ミストサウナ運転の終了後から入浴終了と判定するまでの間に、「ミストサウナモードの運転終了後の浴室内の温度がミスト換気温度以上であると、前記換気ファンが作動して換気運転が行なわれる」（段落【００１８】、【００３９】、図６のＳ１０〜Ｓ１３）ことが示されているところ、その目的は、「浴室ドア開閉時に脱衣室側へ湯気が流出するのを防ぐ」（段落【００１９】）ためであるから、ミストサウナ運転の終了後から入浴終了と判定するまでの間に、ミストサウナモードの運転終了後の浴室内の温度がミスト換気温度以上かどうかをみて行われる換気運転は、脱衣室側への湯気の流出防止の観点から付加的に行われているということができる。これは、「ミストサウナモードの運転終了後の浴室内の温度がミスト換気温度以上であると、前記換気ファンが作動して換気運転が行なわれる」ことが請求項５に記載され、請求項４に更に付加されていることからも明らかである。
　そうすると、刊行物１の請求項１〜４（段落【００１０】〜【００１７】）には、ミストサウナ運転の終了後から入浴終了と判定するまでの間に、「ミストサウナモードの運転終了後の浴室内の温度がミスト換気温度以上であると、前記換気ファンが作動して換気運転」を行う制御を有しないものが示されているといえるから、刊行物１には、浴室暖房装置において、ミストを噴霧する運転の終了後、送風も換気も行うことなしに使用者の入浴が終了したか否かの判定を行うものが記載されている、ということができる。
　　　
　前記第２の２（２）アの（ア）ないし（エ）で摘示した事項並びに前記第２の２（２）アの（オ）ないし（ク）で認定した事項及び上記（２）で認定した事項をふまえると、刊行物１には、次の発明（以下「刊１発明の２」という。）が記載されているものと認められる。
　　　
「吸込口２０から浴室内の空気を吸い込むと共にこの空気を加熱して吹出し口２２から浴室内に吹き出して浴室内を暖房する暖房機能と、吸込口２０から浴室内の空気を吸い込んで屋外に排気する換気機能と、吸込口２０から浴室内の空気を吸い込んで一部の空気を屋外に排気すると共に残りの空気を加熱して吹出し口２２から温風を浴室内に吹き出す浴室乾燥運転における乾燥機能と、ミストノズル６６から浴室内に温水の水蒸気を噴出するミスト噴出機能とを具備した浴室暖房乾燥装置であって、暖房機能とミスト噴出機能とによるミストサウナ運転の後、送風も換気も行うことなしに使用者の入浴が終了したか否かの判定を行い、使用者の入浴が終了したと判定すると、浴室温度が換気温度以上か否かの判定を行い、浴室温度が換気温度以上と判定したときには先に吸込口２０から浴室内の空気を吸い込んで屋外に排気する浴室乾燥運転における換気運転を浴室温度が換気温度未満となるまで行い、浴室温度が換気温度未満と判定したときには前記換気運転を行わず、その後、換気と温風の送風をする浴室乾燥運転における乾燥運転が行われるように制御するコントローラを具備した浴室暖房乾燥装置。」
　　　
３　対比
　本願発明と刊１発明の２とを対比する。
　刊１発明の２の「吸込口２０」は、本件補正発明の「吸い込み口」に相当する。
　以下同様に、
　「吹出し口２２」は、「吹き出し口」に、
　「吸込口２０から浴室内の空気を吸い込んで一部の空気を屋外に排気すると共に残りの空気を加熱して吹出し口２２から温風を浴室内に吹き出す浴室乾燥運転における乾燥機能」は、「吸い込み口から浴室内の空気を吸い込んで一部の空気を屋外に排気すると共に残りの空気を加熱して吹き出し口から温風を浴室内に吹き出すことで浴室を乾燥する加熱乾燥機能」に、
　「ミストノズル６６から浴室内に温水の水蒸気を噴出するミスト噴出機能」は、「ミストノズルから浴室内に温水のミストを噴霧するミスト噴霧機能」に、
　「暖房機能とミスト噴出機能とによるミストサウナ運転」は、ミストノズルから温水のミストを噴霧しているから、「ミストノズルから温水のミストを噴霧する運転」に、
　「換気と温風の送風をする浴室乾燥運転における乾燥運転」は、「換気と温風の送風をする加熱乾燥運転」に、
　「コントローラ」は、「制御部」に、
それぞれ相当する。
　
　したがって、両者の一致点及び相違点は、次のとおりと認められる。
　　
＜一致点＞
「吸い込み口から浴室内の空気を吸い込むと共にこの空気を加熱して吹き出し口から浴室内に温風を吹き出して浴室内を暖房する暖房機能と、吸い込み口から浴室内の空気を吸い込んで屋外に排気する換気機能と、吸い込み口から浴室内の空気を吸い込んで一部の空気を屋外に排気すると共に残りの空気を加熱して吹き出し口から温風を浴室内に吹き出すことで浴室を乾燥する加熱乾燥機能と、ミストノズルから浴室内に温水のミストを噴霧するミスト噴霧機能とを具備した浴室暖房乾燥装置であって、換気と温風の送風をする加熱乾燥運転が行なわれるように制御する制御部を具備する浴室暖房乾燥装置。」の点。
　　　
＜相違点＞
　換気と温風の送風をする加熱乾燥運転が行なわれるように制御する制御部が、
　本願発明は、「ミストノズルから温水のミストを噴霧する運転の終了後に自動的に浴室の乾燥を行う自動浴室乾燥運転の設定と解除機能を有し、自動浴室乾燥運転の設定をしたとき、ミストを噴霧する運転の終了後に送風も換気も行うことなく所定時間放置した後、換気と温風の送風をする加熱乾燥運転が行なわれるように制御する」ものであるのに対し、
　刊１発明の２は、暖房機能とミスト噴出機能とによるミストサウナ運転の後、すなわち、ミストノズルから温水のミストを噴霧する運転の終了後、「送風も換気も行うことなしに使用者の入浴が終了したか否かの判定を行い、使用者の入浴が終了したと判定すると、浴室温度が換気温度以上か否かの判定を行い、浴室温度が換気温度以上と判定したときには先に吸込口２０から浴室内の空気を吸い込んで屋外に排気する浴室乾燥運転における換気運転を浴室温度が換気温度未満となるまで行い、浴室温度が換気温度未満と判定したときには前記換気運転を行わず、その後、換気と温風の送風をする浴室乾燥運転における乾燥運転が行われるように制御する」ものである点。　　
　
４　当審の判断
（１）相違点について
ア　刊１発明の２において、ミストサウナ運転の後の使用者の入浴が終了したか否かの判定、浴室温度が換気温度以上か否かの判定、それらの後の浴室乾燥運転における換気運転や浴室乾燥運転における乾燥運転は、自動で行われていることが明らかであるから、刊１発明の２は、ミストノズルから温水のミストを噴霧する運転の終了後に自動的に浴室の乾燥を行う自動浴室乾燥運転が行われるものである。
　そして、刊行物１には、従来、ミスト運転終了後、入浴者等がリモコンを操作して浴室の乾燥を行っていたこと（段落【０００７】）が記載されているところ、各々の運転の切り換えを自動でも手動でも行えるように選択可能とすることは、例えばエアコン等に見られるように、使用者の操作性の嗜好に対応してごく普通に行われていることにすぎない。
　そうすると、使用者の操作性の嗜好に対応すべく、刊１発明の２の制御部において、ミストノズルから温水のミストを噴霧する運転の終了後に自動的に浴室の乾燥を行う自動浴室乾燥運転が行えるようにするのみならず、自動浴室乾燥運転の設定と解除機能を持たせることは、当業者が適宜なし得たことである。
　　　
イ　次に、刊１発明の２は、上記アで述べたとおり自動浴室乾燥運転が行われるものであって、その自動の運転としては、「ミストサウナ運転の後、送風も換気も行うことなしに使用者の入浴が終了したか否かの判定を行い、使用者の入浴が終了したと判定すると、浴室温度が換気温度以上か否かの判定を行い、浴室温度が換気温度以上と判定したときには先に吸込口２０から浴室内の空気を吸い込んで屋外に排気する浴室乾燥運転における換気運転を浴室温度が換気温度未満となるまで行い、浴室温度が換気温度未満と判定したときには前記換気運転を行わず、その後、換気と温風の送風をする浴室乾燥運転における乾燥運転が行われる」ものである。
　ここで、使用者の入浴が終了したとの判定の後に、浴室温度が換気温度以上と判定したときには浴室乾燥運転における換気運転を浴室温度が換気温度未満となるまで行い、浴室温度が換気温度未満と判定したときには前記換気運転を行わないようにしているのは、「温度が高い時は換気運転を行い、湿気を外部に排出し、その後、乾燥運転をするので、乾燥効率を高めて浴室を短時間で乾燥できる」ため（段落【００１５】）であるが、このような換気や送風を行うことなく放置することでも、浴室内の湿度が低下することは技術常識（特開２００２−２１３７６０号公報の段落【０００９】、【００３０】、特開平３−３６４４６号公報参照。）である。
　そして、浴室温度が換気温度以上か否かの判定を行うかどうか、かかる換気運転を行うのか換気運転を行わずに放置するのかどうかは、要求される乾燥時間、省エネルギー性や制御フローの簡素化等の観点から、当業者が適宜選択する設計事項というべきものであるから、刊１発明の２において、「使用者の入浴が終了したと判定すると、浴室温度が換気温度以上か否かの判定を行い、浴室温度が換気温度以上と判定したときには先に吸込口２０から浴室内の空気を吸い込んで屋外に排気する浴室乾燥運転における換気運転を浴室温度が換気温度未満となるまで行い、浴室温度が換気温度未満と判定したときには前記換気運転を行わず、その後、換気と温風の送風をする浴室乾燥運転における乾燥運転が行われるように制御する」ことに代えて、使用者の入浴が終了したと判定すると、換気や送風を行うことなく放置し、その後、換気と温風の送風をする浴室乾燥運転における乾燥運転が行われるように制御することは、当業者が適宜なし得たことである。
　　　　
ウ　上記ア、イをふまえると、刊１発明の２の制御部を、自動浴室乾燥運転の設定と解除機能を有するものとすると共に、自動浴室乾燥運転のときに、ミストを噴霧する運転の終了後、送風も換気も行うことなしに使用者の入浴が終了したか否かの判定を行い、使用者の入浴が終了したと判定すると、換気も送風も行うことなく放置し、その後、換気と温風の送風をする加熱乾燥運転が行なわれるものとすることは、当業者が容易になし得たことである。
　このとき、自動浴室乾燥運転において、ミストを噴霧する運転の終了後に送風も換気も行うことなく所定時間放置した後、換気と温風の送風をする加熱乾燥運転が行なわれることは明らかである。
　したがって、刊１発明の２において、相違点に係る本願発明が具備する構成とすることは、当業者が容易になし得たことである。
　　
（２）本願発明の作用効果について
　本願発明の作用効果についてみても、刊１発明の２及び技術常識から当業者が予測できる範囲のものであって、顕著なものとはいえない。
　　
（３）小括
　したがって、本願発明は、刊１発明の２及び技術常識から当業者が容易に発明をすることができたものである。
　　　
５　むすび
　以上のとおり、本願発明は、特許法第２９条第２項の規定により特許を受けることができないものである。
　したがって、本件出願のその余の請求項について検討するまでもなく、本件出願は拒絶されるべきものである。
　よって、結論のとおり審決する。